(57)【要約】【課題】排気効率を向上できる屋上換気扇を提供する。【解決手段】本発明の屋上換気扇１は、筒状のダクト１０と、ダクトの内部に配置され、周方向一方側に回転されることで上側へ送風することが可能に構成された、ファン１１と、ファンに対する上側に配置され、周方向に沿って配列された、３枚以上のブレード１３と、を備えた、屋上換気扇であって、ダクトには、軸直方向に延在するブレード支持部１５が設けられており、各ブレードは、それぞれの外縁部１３ｏを除く部分が平坦であり、各ブレードは、それぞれの周方向他方側の部分が軸直方向の平面内において略径方向に沿ってブレード支持部に対し蝶番Ｈで固定されており、それにより、それぞれの周方向一方側が開閉可能にされている。【選択図】図６
2020165547.tif 000002
【特許請求の範囲】
【請求項１】
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされている、屋上換気扇。
【請求項２】
前記ダクトは、円筒形状である、請求項１に記載の屋上換気扇。
【請求項３】
前記３枚以上のブレードは、前記ダクトの上端部において、前記ブレード支持部に対し蝶番で固定されている、請求項１又は２に記載の屋上換気扇。
【請求項４】
前記３枚以上のブレードの上側を覆う天蓋を、さらに備え、
前記天蓋は、軸直方向断面において円形をなしており、
前記天蓋の下端は、前記ブレードの下端よりも下側に位置している、請求項１〜３のいずれか一項に記載の屋上換気扇。
【請求項５】
各前記ブレードは、それぞれの前記外縁部が上側へ折り曲げられている、請求項１〜４のいずれか一項に記載の屋上換気扇。
【発明の詳細な説明】
【技術分野】
【０００１】
本発明は、屋上換気扇に関する。
【背景技術】
【０００２】
従来の屋上換気扇として、外風及び埃等の異物が屋外から屋内に侵入することを防止するシャッターが設けられており、シャッターはファンの上側に配置されているとともに複数のブレードを有しており、ファンが駆動される間にファンの風圧によってシャッターのブレードが開放し、それにより、屋内から屋外への排気がされるように構成されたものがある（例えば、特許文献１）。
【先行技術文献】
【特許文献】
【０００３】
【特許文献１】実開昭５２−９４７６７号公報
【発明の概要】
【発明が解決しようとする課題】
【０００４】
しかしながら、上記従来の屋上換気扇のシャッターにおいては、排気の効率に関し、向上の余地があった。
【０００５】
本発明は、排気効率を向上できる屋上換気扇を提供することを目的とする。
【課題を解決するための手段】
【０００６】
本発明の屋上換気扇は、
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされている。
【０００７】
本発明の屋上換気扇において、
前記ダクトは、円筒形状であると、好適である。
【０００８】
本発明の屋上換気扇において、
前記３枚以上のブレードは、前記ダクトの上端部において、前記ブレード支持部に対し蝶番で固定されていると、好適である。
【０００９】
本発明の屋上換気扇において、
前記３枚以上のブレードの上側を覆う天蓋を、さらに備え、
前記天蓋は、軸直方向断面において円形をなしており、
前記天蓋の下端は、前記ブレードの下端よりも下側に位置していると、好適である。
【００１０】
本発明の屋上換気扇において、
各前記ブレードは、それぞれの前記外縁部が上側へ折り曲げられていると、好適である。
【発明の効果】
【００１１】
本発明によれば、排気効率を向上できる屋上換気扇を提供することができる。
【図面の簡単な説明】
【００１２】
【図１】本発明の一実施形態に係る屋上換気扇をブレードが開放した状態で示す、斜視図である。
【図２】ブレードが閉鎖した状態における図１の屋上換気扇の一部を、上側から観た様子を示す、斜視図である。
【図３】ブレードが開放した状態における図１の屋上換気扇の一部を、上側から観た様子を示す、斜視図である。
【図４】ブレードが閉鎖した状態における図１の屋上換気扇を、図１のＡ−Ａ線に沿う断面により示す、Ａ−Ａ断面図である。
【図５】ブレードが開放した状態における図１の屋上換気扇を、図１のＡ−Ａ線に沿う断面により示す、Ａ−Ａ断面図である。
【図６】ブレードが開放した状態における図１の屋上換気扇を、軸線方向断面と共に示す、斜視図である。
【図７】図３の屋上換気扇のブレード及びその周辺部分を、ブレードの上側から観た様子を示す、斜視図である。
【図８】図７のブレード及びその周辺部分を、ブレードの下側から観た様子を示す、斜視図である。
【図９】本発明の一変形例に係る屋上換気扇のブレード及びその周辺部分を、ブレードの上側から観た様子を示す、斜視図である。
【発明を実施するための形態】
【００１３】
本発明の屋上換気扇は、工場や倉庫等の任意の建物の屋根の上に設置されるのに好適なものである。
以下、本発明に係る屋上換気扇の実施形態について、図面を参照しながら例示説明する。
各図において共通する構成要素には同一の符号を付している。
【００１４】
図１〜図８は、本発明の一実施形態に係る屋上換気扇１を説明するための図面である。図１は、本実施形態に係る屋上換気扇１を示している。本実施形態の屋上換気扇１は、工場や倉庫等の任意の建物の屋根の上に設置され、当該建物の換気のために好適に使用することができるものである。
図１に示すように、本実施形態の屋上換気扇１は、ダクト１０と、ファン１１と、モータ１２と、ブレード１３と、天蓋１４と、ブレード支持部１５と、モータ支持部１７と、取付枠部１８と、リブ１９と、支柱２０と、吊フック２１と、フランジ２２と、受け部材２３と、を備えている。
図２は、ブレード１３が閉鎖した状態における図１の屋上換気扇１の一部を、上側から観た様子を示している。図３は、ブレード１３が開放した状態における図１の屋上換気扇１の一部を、上側から観た様子を示している。図２及び図３においては、天蓋１４、支柱２０、吊フック２１の図示を省略している。図４は、ブレード１３が閉鎖した状態における図１の屋上換気扇１を、図１のＡ−Ａ線に沿う断面により示している。図５は、ブレード１３が開放した状態における図１の屋上換気扇１を、図１のＡ−Ａ線に沿う断面により示している。図１のＡ−Ａ線は、屋上換気扇１の中心軸線Ｏを通っている。図６は、ブレード１３が開放した状態における図１の屋上換気扇１を、軸線方向断面と共に示している。なお、図６に示す軸線方向断面は、中心軸線Ｏよりも径方向外側に位置している。図７は、図３の屋上換気扇１のブレード１３及びその周辺部分を、ブレード１３の上側から観た様子を示している。図８は、図７のブレード１３及びその周辺部分を、ブレード１３の下側から観た様子を示している。
【００１５】
ダクト１０は、筒状に構成されている。図の例において、ダクト１０は、円筒形状である。ダクト１０は、金属から構成されると好適であり、ステンレス鋼又はアルミニウム合金から構成されるとより好適である。
【００１６】
なお、本明細書において、「軸線方向」とは、特に断りが無い限り、屋上換気扇１の軸線方向を指すものとし、屋上換気扇１の軸線方向は、屋上換気扇１の中心軸線Ｏに平行な方向を指す。屋上換気扇１の「中心軸線Ｏ」（以下、単に「中心軸線Ｏ」ともいう。）は、ダクト１０の中心軸線である。また、「軸直方向」とは、屋上換気扇１の軸線方向に対し垂直な方向を指す。また、「径方向」、「周方向」、「内周側」、「外周側」とは、特に断りが無い限り、屋上換気扇１の中心軸線Ｏを中心とする径方向、周方向、内周側、外周側をそれぞれ指すものとする。また、「上」、「下」とは、鉛直方向の上、下をそれぞれ指すものとする。
屋上換気扇１は、中心軸線Ｏが鉛直方向に延在した状態で、建物の屋根の上に設置されると好適である。
【００１７】
ファン１１は、ダクト１０の内部に配置されている。図６に示すように、ファン１１は、周方向一方側Ｃ１に回転されることで上側へ送風することが可能に構成されている。本明細書において、「周方向一方側（Ｃ１）」は、ファン１１の回転方向ＲＤと一致している。「周方向他方側（Ｃ２）」は、周方向一方側Ｃ１とは反対の方向を指す。ファン１１は、軸流ファンであると好適である。ファン１１の回転軸線は、軸線方向に延在している。図４に示すように、ファン１１の回転軸線は、屋上換気扇１の中心軸線Ｏ上を延在していると、好適である。
【００１８】
モータ１２は、ファン１１を駆動するように構成されている。図４に示すように、ファン１１は、モータ１２の出力軸１２１に固定されている。モータ１２の出力軸１２１は、軸線方向に延在している。図４に示すように、モータ１２の出力軸１２１の回転軸線は、屋上換気扇１の中心軸線Ｏ上を延在していると、好適である。図の例において、モータ１２は、ファン１１の下側に位置しており、その出力軸１２１の先端が上側を向いている。ただし、モータ１２は、ファン１１の上側に位置し、その出力軸１２１の先端が下側を向いていてもよい。
図４に示すように、モータ１２は、その本体部分から外周側へ延在する延出部１２ｆを有している。延出部１２ｆには、周方向に沿って配列された複数（図の例では４つ）の締結穴１２ｈが形成されている。モータ１２の複数の締結穴１２ｈは、それぞれ上下方向に延在している。
【００１９】
モータ支持部１７は、ダクト１０に設けられており、図の例においては、ダクト１０の下端部に設けられている。モータ支持部１７は、モータ１２を支持するように構成されている。モータ支持部１７は、図の例において、中心軸線Ｏの近傍に配置され環状に構成された中央環状部１７３と、網状のガードネット部１７１と、１つ又は複数のアーム部１７２と、を有している（図６）。
中央環状部１７３は、その内周縁により、上下方向に貫通する中央穴１７３ｈ（図４）を区画している。屋上換気扇１の中心軸線Ｏは、中央環状部１７３の中央穴１７３ｈを通っている。中央環状部１７３の中央穴１７３ｈには、モータ１２の本体部分が挿入されており、中央環状部１７３の上には、中央穴１７３ｈよりも外周側において、モータ１２の延出部１２ｆが載置されている。モータ１２は、中央環状部１７３にボルト締結されている。より具体的には、図４に示すように、中央環状部１７３は、中央穴１７３ｈよりも外周側において、周方向に沿って配列された複数（図の例では４つ）の締結穴１７ｈを有している。中央環状部１７３の複数の締結穴１７ｈは、それぞれ上下方向に延在している。モータ１２の各締結穴１２ｈは、中央環状部１７３の各締結穴１７ｈの上に配置されている。そして、ボルトＢが、モータ１２の締結穴１２ｈと中央環状部１７３の締結穴１７ｈとに挿入され、ボルトＢの頭部の反対側から挿入されるナットＮに締め付けられることにより、モータ１２が中央環状部１７３にボルト締結されている。
図６に示すように、ガードネット部１７１は、中央環状部１７３の外周端からダクト１０までにわたる環状領域内に配置されている。図の例において、ガードネット部１７１の外縁部（外周端部）１７１ｏは円形をなしており、言い換えれば、ガードネット部１７１の複数の貫通穴１７１ｈのうち最も外周側の貫通穴１７１ｈのそれぞれの外周端が共通の円形に沿って形成されている。ダクト１０の下端は、ガードネット部１７１の外縁部１７１ｏに対し、溶接等により固定されている。ガードネット部１７１は、網状に延在する線部１７１ｗと、線部１７１ｗによって少なくとも一部が区画された複数の貫通穴１７１ｈとを、有している。
アーム部１７２は、それぞれ、ガードネット部１７１の平面視においてガードネット部１７１の線部１７１ｗの幅よりも大きな幅を有するとともに、略径方向に延在している。図の例において、モータ支持部１７は、アーム部１７２を４つ有している。これらのアーム部１７２は、周方向に沿って配列されている。アーム部１７２は、それぞれ、中央環状部１７３の外周端からガードネット部１７１の外縁部１７１ｏの径方向位置までにわたって延在している。アーム部１７２が設けられることにより、モータ支持部１７の強度を向上できる。
【００２０】
取付枠部１８は、屋上換気扇１を取付枠部１８によって建物の屋根に取り付けられるように構成されている。図の例において、取付枠部１８はガードネット部１７１の外縁部１７１ｏから外周側へ延在している。取付枠部１８は、その外周端部が下側へ折り曲げられており、それにより、枠状に構成されている。
【００２１】
図の例において、モータ支持部１７と取付枠部１８とは、取付枠部材１６を構成している。取付枠部材１６は、金属製の一枚板で構成されている。
ただし、モータ支持部１７及び取付枠部１８は、図の例とは異なる任意の構成を有してよい。例えば、モータ支持部１７と取付枠部１８とは、それぞれ別部品から構成されてもよく、その場合、モータ支持部１７と取付枠部１８とは、互いに溶接等により固定されていてもよいし、かつ／又は、それぞれダクト１０に対し溶接等により固定されていてもよい。また、モータ支持部１７と取付枠部１８とがそれぞれ別部品から構成される場合、モータ支持部１７は、ダクト１０の下端よりも上側に配置されていてもよい。また、モータ支持部１７は、図の例では一枚板で構成されているが、その一部分が他の部分とは別部品から構成されていてもよい。例えば、ガードネット部１７１とアーム部１７２とは、互いに別部品から構成されてもよく、その場合、ガードネット部１７１とアーム部１７２とは、互いに溶接等により固定されていてもよいし、かつ／又は、それぞれダクト１０に対し溶接等により固定されていてもよい。ガードネット部１７１とアーム部１７２とが互いに別部品から構成される場合、中央環状部１７３は、強度の観点から、アーム部１７２に対し一体に構成されると好適である。また、図の例において、ガードネット部１７１は、一枚板にレーザ加工又はタレットパンチングプレス加工等を施して貫通穴１７１ｈを形成することにより製造されているが、それに代えて、例えば、複数の金属製の線状部材（例えば鋼線）どうしを網状に溶接することにより製造されてもよい。
【００２２】
各アーム部１７２の上面には、それぞれ、板状のリブ１９が立設されている。リブ１９は、金属製である。リブ１９は、アーム部１７２の上面に溶接により固定されている。また、リブ１９の外周端１９ｏは、ダクト１０の内周面に溶接により固定されている。リブ１９が設けられることにより、モータ支持部１７を補強することができる。
ただし、リブ１９の外周端１９ｏは、ダクト１０の内周面に溶接されていなくてもよい。また、リブ１９は、アーム部１７２の下面に立設され、アーム部１７２の下面に溶接により固定されていてもよい。
【００２３】
ダクト１０には、軸直方向に延在するブレード支持部１５が設けられている。図の例において、ブレード支持部１５は、ファン１１に対する上側において、ダクト１０の上端部に配置されている。また、ブレード支持部１５は、複数（図の例では４つ）の板状のビーム部１５１を有しており、これらのビーム部１５１は、それぞれ、ダクト１０から内周側へ向かって、軸直方向の平面内において略径方向に沿って延在し、中心軸線Ｏ上で互いに連結している。
ただし、ブレード支持部１５は、軸直方向の平面内において任意の方向に延在してよい。
【００２４】
ブレード１３は、金属から構成されると好適であり、アルミニウム合金から構成されるとより好適である。ブレード１３は、ファン１１に対する上側に配置されている。図の例において、ブレード１３は４枚設けられているが、ブレード１３は、３枚のみ又は５枚以上設けられていてもよい。これらのブレード１３は、シャッターを構成している。これらのブレード１３は、周方向に沿って配列されている。図２及び図３に示すように、各ブレード１３は、それぞれ、中心軸線Ｏに向かって先細った略扇形をなしている。各ブレード１３は、それぞれの略径方向に延在する周方向他方側Ｃ２の部分１３２が軸直方向の平面内において略径方向に沿ってブレード支持部１５のビーム部１５１に対し蝶番Ｈで固定されており、それにより、それぞれの略径方向に延在する周方向一方側Ｃ１の部分１３１や略周方向に延在する外周側の部分１３３が開閉可能にされている。各ブレード１３は、閉鎖した状態において、軸直方向に沿って平面状に延在した状態となる（図２及び図４）。
ここで、「軸直方向の平面内において略径方向に沿って」とは、軸直方向に交差する方向に沿うこと（例えば、上側へ向かいつつ中心軸線Ｏに向かって略径方向に沿うこと）を除く趣旨である。
図７及び図８に拡大して示すように、各ブレード１３は、それぞれの外縁部１３ｏを除く部分（外縁部１３ｏよりも内側の部分）が平坦である。図の例において、各ブレード１３は、その全体が平坦ではなく、それぞれの外縁部１３ｏが、ブレード１３の閉鎖状態を観たときにおける上側へ、折り曲げられて（屈曲して）いる。
なお、ブレード１３の「外縁部（１３ｏ）」とは、ブレードの最も外側の環状部分を指しており、具体的には、ブレード１３の周方向一方側Ｃ１の端部、外周側の端部、及び、周方向他方側Ｃ２の端部からなる。
なお、図の例では、ブレード１３の外縁部１３ｏの全体が、ブレード１３の閉鎖状態を観たときにおける上側へ、折り曲げられているが、ブレード１３の外縁部１３ｏのうち一部のみが、ブレード１３の閉鎖状態を観たときにおける上側へ、折り曲げられていてもよい。
【００２５】
ダクト１０の上端には、ダクト１０の上端から外周側へ延在するフランジ２２が設けられている。
ブレード支持部１５のビーム部１５１とフランジ２２とのそれぞれの上面には、ブレード１３の周方向一方側Ｃ１の部分１３１及び外周側の部分１３３を受けるように構成された受け部材２３（図３）が設けられている。ブレード１３が閉鎖した状態（図２）においては、ブレード１３の周方向一方側Ｃ１の部分１３１及び外周側の部分１３３は、受け部材２３の上に載るようにされている。受け部材２３は、ゴムで構成されると好適である。受け部材２３を設けることにより、受け部材２３がクッション材として機能し、ブレード１３の閉鎖時の音や衝撃を緩和することができる。
フランジ２２には、周方向に沿って配列された複数（図の例では４つ）の貫通穴２２ｈが設けられている。各貫通穴２２ｈには、それぞれ、軸線方向に延在する支柱２０の下端部が挿入されている（図４）。各支柱２０の下端部は、フランジ２２の上側及び下側のそれぞれからナットＮが締め付けられることによって、フランジ２２に固定されている。
【００２６】
天蓋１４は、各ブレード１３の上側を覆うように構成されている。天蓋１４は、各ブレード１３の上側に位置し軸直方向に延在する上壁部１４１と、上壁部１４１の外周端から連続し、下側へ向かうにつれて徐々に拡径する、周壁部１４２と、を有している。天蓋１４の上壁部１４１には、周方向に沿って配列された複数（図の例では４つ）の貫通穴１４ｈ（図４）が設けられている。各貫通穴１４ｈには、それぞれ、支柱２０の上端部が挿入されている。各支柱２０の上端部は、天蓋１４の上壁部１４１の下側からナットＮが締め付けられることによって、天蓋１４の上壁部１４１に固定されている。ダクト１０の上端と天蓋１４の上壁部１４１との間の軸線方向距離は、支柱２０によって維持されている。また、各支柱２０の上端部には、天蓋１４の上壁部１４１より上側において、吊フック２１が取り付けられている。
【００２７】
上述のように構成された屋上換気扇１においては、モータ１２が作動していない間は、ブレード１３は閉鎖状態となる（図２、図４）。一方、モータ１２が起動されると、ファン１１が周方向一方側Ｃ１へ回転されることによって、下側のガードネット部１７１を介して空気を吸い上げて上側へと送風する。すると、各ブレード１３は、ファン１１からの風圧によって蝶番Ｈの周りで回転されて、それぞれの周方向一方側の部分１３１及び外周側の部分１３３が上側へと開放することにより、開放状態となる（図３、図５、図６）。それにより、ファン１１から吐出された風がダクト１０を出て、各ブレード１３の下面によって案内された後、さらに、天蓋１４によって下側へ案内され、天蓋１４の外部へと出る。このようにして、屋内から屋外への排気が行われる。その後、モータ１２が停止されると、ファン１１も停止し、それにより、各ブレード１３は自重により閉鎖状態へと戻る。これにより、外風や埃等の異物が屋外から屋内に侵入するのが防止される。
【００２８】
本実施形態においては、上述のように、ファン１１が、周方向一方側Ｃ１に回転されることで上側へ送風することが可能に構成されており、また、各ブレード１３は、それぞれの周方向他方側Ｃ２の部分１３２が軸直方向の平面内において略径方向に沿ってブレード支持部１５に対し蝶番Ｈで固定されており、それにより、それぞれの周方向一方側Ｃ１及び外周側が開閉可能にされている。これにより、ファン１１から吐出された風は、周方向一方側Ｃ１へ旋回しながら上側へ向かった後、ブレード１３に至り、ブレード１３の下面によって引き続き周方向一方側Ｃ１かつ上側へと案内されてからブレード１３から吐出されることとなる。このように、ファン１１から吐出された風の流れがブレード１３によって大きく阻害されることが無く、ブレード１３から吐出されるまで、周方向一方側Ｃ１かつ上側へと旋回し続けることができるので、圧力損失を低減でき、ひいては、排気効率を向上できる。
また、本実施形態においては、ブレード１３の数が３枚以上（図の例では４枚）なので、仮にブレード１３の数が２枚である場合に比べて、各ブレード１３が高い整流効果を発揮でき、それにより、排気効率を向上できる。
また、本実施形態においては、各ブレード１３が、それぞれの周方向他方側Ｃ２の部分１３２が軸直方向の平面内においてブレード支持部１５に対し蝶番Ｈで固定されているので、例えば、各ブレード１３が軸直方向に対し交差する方向に沿って蝶番Ｈで固定されている場合に比べて、屋上換気扇１の軸線方向の全長を低減できる。それにより、外風を受ける際の屋上換気扇１の外風方向の投影面積が低下し、外風を受けたときに屋上換気扇１に掛かるモーメント力を低減できるので、屋上換気扇１の耐久性を向上でき、また、仮に屋上換気扇１の部品（例えば取付枠部材１６）の板厚を低減しても十分な耐久性を確保することが可能となる。また、屋上換気扇１の軸線方向の全長を低減できるので、屋上換気扇１のコストや重量を低減できる。
また、本実施形態において、各ブレード１３は、それぞれの外縁部１３ｏを除く部分（外縁部１３ｏよりも内側の部分）が平坦であることから、仮に各ブレード１３が、それぞれの外縁部１３ｏを除く部分において非平坦である（例えば３次元的に湾曲している）場合に比べて、各ブレード１３が製造し易くなる。
【００２９】
本実施形態において、各ブレード１３は、上述のように、それぞれの外縁部１３ｏが、上側へ折り曲げられて（屈曲して）いる（図７及び図８）。これにより、仮に各ブレード１３が、それぞれの外縁部１３ｏも含む全体にわたって平坦である場合に比べて、各ブレード１３の強度を向上でき、また、仮にブレード１３の板厚を低減しブレード１３の質量を低減しても、十分な強度を確保することが可能となるとともに、ブレード１３の質量が低減することによりブレード１３の開角度（開放時の軸直方向に対する角度）を増大することができるので、圧力損失を低減し排気効率を向上することができる。また、仮に各ブレード１３の外縁部１３ｏが下側に折り曲げられている場合に比べて、ファン１１から出た風がブレード１３から出る際に、風を外縁部１３ｏによって遮るおそれがないため、圧力損失を低減し排気効率を向上することができる。
なお、図７及び図８に示すように、本実施形態においては、ブレード１３の外縁部１３ｏが、ブレード１３の他の部分に対し垂直な方向に沿って上側へ向かって延在するように、上側へ折り曲げられて（屈曲して）いる。ただし、ブレード１３の外縁部１３ｏは、ブレード１３の他の部分に対し非垂直に交差する方向に沿って上側へ向かって延在するように、上側へ折り曲げられて（屈曲して）いてもよく、あるいは、ヘミング曲げにより、ブレード１３の他の部分に沿って平行に延在するように、上側へ折り曲げられて（屈曲して）いてもよい。
また、図示は省略するが、各ブレード１３は、それぞれの外縁部１３ｏが、ヘミング曲げにより、ブレード１３の他の部分に沿って平行に延在するように、下側へ折り曲げられて（屈曲して）いてもよい。
ただし、各ブレード１３は、図９に示す変形例のように、それぞれの全体にわたって平坦であってもよい。
また、本実施形態においては、図７及び図８に示すように、各ブレード１３は、ブレード１３の平面視において、それぞれの外周側の外縁部１３ｏ（外縁部１３ｏのうち外周側の部分）が、滑らかに湾曲した円弧形状ではなく、１箇所又は複数個所（図の例では２箇所）で折れ曲がっているとともに外周側へ突出した折れ線形状をなしている。ただし、図９に示す変形例のように、各ブレード１３の外周側の外縁部１３ｏ（外縁部１３ｏのうち外周側の部分）は、ブレード１３の平面視において、滑らかに湾曲した円弧形状であってもよい。
【００３０】
本実施形態において、ダクト１０は、上述のように、円筒形状であるため、仮にダクト１０が四角筒形状である場合に比べて、ファン１１から吐出した、周方向一方側Ｃ１へ旋回する風を、滑らかに案内し整流化することができるので、圧力損失を低減し、排気効率を向上できる。
ただし、ダクト１０は、円筒形状でなくてもよく、例えば、四角筒形状であってもよい。
【００３１】
本実施形態において、各ブレード１３は、上述のように、ダクト１０の上端部において、ブレード支持部１５に対し蝶番Ｈで固定されている。
仮に各ブレード１３がダクト１０の上端部よりも下側の位置において、ブレード支持部１５に対し蝶番Ｈで固定されている場合、各ブレード１３から出た風は、ダクト１０によって案内されながら軸線方向に沿って上側へ向かって流れた後、天蓋１４の上壁部１４１へ強く衝突するおそれがあるため、その分、圧力損失が大きくなるおそれがある。
一方、本実施形態では、各ブレード１３は、ダクト１０の上端部において、ブレード支持部１５に対し蝶番Ｈで固定されているので、各ブレード１３から出た風は、ダクト１０によって遮られることなく、外周側へと流れることができるので、天蓋１４の上壁部１４１へほとんど衝突することなく、天蓋１４の周壁部１４２に沿って外周側へとスムーズに流れることができるため、圧力損失を低減し排気効率を向上することができる。
ただし、各ブレード１３は、ダクト１０の上端部よりも下側の位置において、ブレード支持部１５に対し蝶番Ｈで固定されていてもよい。
【００３２】
本実施形態において、天蓋１４は、その上壁部１４１及び周壁部１４２が、それぞれ、軸直方向断面において円形をなしている（図１及び図６）。また、天蓋１４の下端は、各ブレード１３の下端（蝶番Ｈの位置）よりも下側に位置している（図４）。これにより、各ブレード１３から出た風は、周方向一方側Ｃ１へ旋回しながら外周側へ向って移動した後、天蓋１４の周壁部１４２によってスムーズに案内されながら引き続き周方向一方側Ｃ１へ旋回しながら下側へ移動されてから天蓋１４の外へ出るので、ブレード１３を出てから天蓋１４の外へ出るまでの間、風をよりスムーズに整流化することができ、ひいては、排気効率を向上できる。
同様の観点から、天蓋１４の下端は、図４に示すように、ファン１１と重複する軸線方向位置にある（すなわち、ファン１１の外周側にある）と、好適である。
ただし、その上壁部１４１及び周壁部１４２は、それぞれ、軸直方向断面において非円形をなしていてもよく、例えば、軸直方向断面において四角形状をなしていてもよい。
【００３３】
なお、排気効率を向上しつつ屋上換気扇１の軸線方向の全長を低減する観点から、ダクト１０の直径Ｄ１０（図４）に対する屋上換気扇１の軸線方向の全長（取付枠部１８の下端から天蓋１４の上端までの軸線方向長さ）Ｈ（図４）の比Ｈ／Ｄ１０は、０．５〜１．２であると、好適である。
また、排気効率を向上しつつ屋上換気扇１の軸線方向の全長を低減する観点から、屋上換気扇１の軸線方向の全長Ｈ（図４）に対する天蓋１４の軸線方向の長さＬ１４（図４）の比Ｌ１４／Ｈは、０．５０〜０．６５であると、好適である。
また、排気効率の向上の観点から、ダクト１０の直径Ｄ１０（図４）に対する天蓋１４の下端の直径Ｄ１４（図４）の比Ｄ１４／Ｄ１０は、１．７〜２．５であると、好適である。
また、排気効率を向上しつつ屋上換気扇１の軸線方向の全長を低減する観点から、各ブレード１３が天蓋１４の上壁部１４１に干渉するときの各ブレード１３の開角度（軸直方向に対する傾斜角度）は、２８°〜３４°であると、好適である。ただし、屋上換気扇１は、ファン１１の作動時において、各ブレード１３が天蓋１４の上壁部１４１に干渉することがないように構成されていると、好適である。ファン１１の作動時における、各ブレード１３の開角度は、例えば、ファン１１の送風性能や各ブレード１３の質量の調整により、調整することができる。
また、排気効率を向上しつつ屋上換気扇１の軸線方向の全長を低減する観点から、天蓋１４の軸線方向の長さＬ１４（図４）に対する、各ブレード１３の下端から天蓋１４の上壁部１４１までの軸線方向長さＬ０（図４）の比Ｌ０／Ｌ１４は、０．６０〜０．７０であると、好適である。
【産業上の利用可能性】
【００３４】
本発明の屋上換気扇は、工場や倉庫等の任意の建物の屋根の上に設置されるのに好適なものである。
【符号の説明】
【００３５】
１  屋上換気扇
１０  ダクト
１１  ファン
１２  モータ
１２１  出力軸
１２ｈ  締結穴
１２ｆ  延出部
１３  ブレード
１３ｏ  外縁部
１３１  周方向一方側の部分
１３２  周方向他方側の部分
１３３  外周側の部分
１４  天蓋
１４ｈ  貫通穴
１４１  上壁部
１４２  周壁部
１５  ブレード支持部
１５１  ビーム部
１６  取付枠部材
１７  モータ支持部
１７ｈ  締結穴
１７１  ガードネット部
１７１ｈ  貫通穴
１７１ｗ  線部
１７１ｏ  外縁部
１７２  アーム部
１７３  中央環状部
１７３ｈ  中央穴
１８  取付枠部
１９  リブ
１９ｏ  外周端
２０  支柱
２１  吊フック
２２  フランジ
２２ｈ  貫通穴
２３  受け部材
Ｂ  ボルト
Ｈ  蝶番
Ｎ  ナット
ＲＤ  ファンの回転方向
Ｃ１  周方向一方側
Ｃ２  周方向他方側
Ｏ  中心軸線
【図１】
2020165547.tif 000003
【図２】
2020165547.tif 000004
【図３】
2020165547.tif 000005
【図４】
2020165547.tif 000006
【図５】
2020165547.tif 000007
【図６】
2020165547.tif 000008
【図７】
2020165547.tif 000009
【図８】
2020165547.tif 000010
【図９】
2020165547.tif 000011
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされており、
前記ブレード支持部は、前記ダクトの上端に設けられており、
前記ダクトの上端には、前記ダクトの上端から外周側へ延在するフランジが設けられており、
前記ブレード支持部と前記フランジとのそれぞれの上面には、前記ブレードの周方向一方側の部分及び外周側の部分を受けるように構成された、クッション材からなる受け部材が設けられている、屋上換気扇。
【請求項２】
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされており、
前記ブレード支持部は、前記ダクトの上端に設けられており、
前記ダクトの上端には、前記ダクトの上端から外周側へ延在するフランジが設けられており、
前記ブレード支持部及び前記フランジは、同じ一枚板から構成されている、屋上換気扇。
【請求項３】
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされており、
前記屋上換気扇は、前記３枚以上のブレードの上側を覆う天蓋を、さらに備え、
前記天蓋は、軸直方向断面において円形をなしており、
前記天蓋の下端は、前記ブレードの下端よりも下側に位置しており、
前記屋上換気扇の軸線方向の全長Ｈに対する前記天蓋の軸線方向の長さＬ１４の比Ｌ１４／Ｈは、０．５０〜０．６５であり、
前記ダクトの直径Ｄ１０に対する前記天蓋の下端の直径Ｄ１４の比Ｄ１４／Ｄ１０は、１．７〜２．５である、屋上換気扇。
【請求項４】
筒状のダクトと、
前記ダクトの内部に配置され、周方向一方側に回転されることで上側へ送風することが可能に構成された、ファンと、
前記ファンに対する上側に配置され、周方向に沿って配列された、３枚以上のブレードと、
を備えた、屋上換気扇であって、
前記ダクトには、軸直方向に延在するブレード支持部が設けられており、
各前記ブレードは、それぞれの外縁部を除く部分が平坦であり、
各前記ブレードは、それぞれの周方向他方側の部分が軸直方向の平面内において略径方向に沿って前記ブレード支持部に対し蝶番で固定されており、それにより、それぞれの周方向一方側が開閉可能にされており、
各前記ブレードは、それぞれの前記外縁部が上側へ折り曲げられており、
各前記ブレードは、それぞれ、閉鎖状態において他の前記ブレードに重ならないようにされている、屋上換気扇。
【請求項５】
前記ダクトは、円筒形状である、請求項１〜４のいずれか一項に記載の屋上換気扇。
【請求項６】
前記３枚以上のブレードは、前記ダクトの上端部において、前記ブレード支持部に対し蝶番で固定されている、請求項３又は４に記載の屋上換気扇。
【請求項７】
前記３枚以上のブレードの上側を覆う天蓋を、さらに備え、
前記天蓋は、軸直方向断面において円形をなしており、
前記天蓋の下端は、前記ブレードの下端よりも下側に位置している、請求項１、２、及び４のいずれか一項に記載の屋上換気扇。
【請求項８】
各前記ブレードは、それぞれの前記外縁部が上側へ折り曲げられている、請求項１〜３のいずれか一項に記載の屋上換気扇。